(57)【特許請求の範囲】
【請求項１】
景観を保全すべき自然斜面上の複数の位置に、所定深さの凹所を掘削して形成し、各凹所から地盤内に、引張り材を、その頭部を凹所内に露出させて貫入し、前記引張り材頭部を挿通させて各凹所内に、受圧板をほぼ全体が該凹所内に没入するように設置または打設し、前記引張り材をその頭部を介して前記受圧板に定着させることを特徴とする自然斜面安定化工法。
【請求項２】
前記受圧板上面を土で覆うことを特徴とする請求項１に記載の自然斜面安定化工法。
【請求項３】
自然斜面上の複数位置に個別に設けた受圧板に引張り材を固定した斜面安定化構造において、前記受圧板は、ほぼ全体が自然斜面上に掘削形成した凹所内に没入され、その上面が前記自然斜面とほぼ同一面またはそれ以下の位置にあることを特徴とする自然斜面安定化構造。
【発明の詳細な説明】
【０００１】
【発明の属する技術分野】
本発明は、地山等の法面を保護するための斜面安定化工法に関し、特に自然景観を損わない自然斜面安定化工法および構造に関するものである。
【０００２】
【従来の技術】
地山の自然斜面や切土法面を補強して地すべりや崩壊等を防止し、斜面を安定化させるための工法として、斜面全体に格子状のコンクリート製の枠を敷設する法枠工法や安定地盤に達するアンカー体と斜面の受圧板とを引張り材で連結するグラウンドアンカー工法およびロックボルト工法、あるいは斜面に鉄筋等の補強材を挿入して土と補強材の相互作用により地山を補強する鉄筋挿入工法等が用いられている。また、このような工法を応用してさらに各種の斜面安定化工法が提案されている（例えば、（１）特公平２−１３０９７，（２）特公昭５４−２６８０１，（３）特開平９−１１１７６１，（４）特公平８−１４１０９等）。
【０００３】
（１）の特公平２−１３０９７号公報は、法面に中空の法枠を格子状に配設してアンカーで固定し、この法枠にモルタル類を流入するための流入孔を所定間隔で形成することにより、施工性の向上を図った工法を開示している。
【０００４】
（２）の特公昭５４−２６８０１号公報は、アンカーにより地山斜面に固定された鉄筋籠を型枠に組込み、コンクリートの流出を防止して現場でのコンクリート打ち作業の容易化を図った工法を開示している。
【０００５】
（３）の特開平９−１１１７６１号公報は、法面に設けた接地板上に鋼製の短管および補強脚板からなる鋼製支圧金物を法面から突出させて設け、この支圧金物にアンカーまたはロックボルトを緊張定着させることにより、部材の軽量化および作業性の向上を図った工法を開示している。
【０００６】
（４）の特公平８−１４１０９号公報は、安定地盤に達する深いグラウンドアンカーとその上部の土中に挿入する複数の補強棒部材とを組合わせて受圧板に固定することにより、樹木を保全したまま斜面の安定化を図った工法を開示している。
【０００７】
【発明が解決しようとする課題】
しかしながら、上記従来の斜面安定化工法においては、斜面の自然景観の保全については充分に考慮されていなかった。すなわち、上記（１）の特公平２−１３０９７号公報等の法枠工法においては、法枠を格子状に設置する際にある程度樹木を伐採する必要があり、また、人工的な配置形態のコンクリート法枠が斜面に露出するため自然景観が損われ人工的な景観となる。
【０００８】
このような斜面全体に連続する法枠に代えて、上記（２）、（３）の特公昭５４−２６８０１号公報や特開平９−１１１７６１号公報では、緊張させたアンカー等に定着した受圧板等を斜面の適当な位置に点在させて設置し、この受圧板により斜面に対し安定力を付与するグラウンドアンカー工法やロックボルト工法あるいは鉄筋挿入工法を開示している。しかしながら、このような公報記載技術を含み従来のグラウンドアンカー工法等においては、いずれも斜面上の受圧板が斜面から突出して露出するため、人工物が景観内に散在して視覚で認識されることになり、これらの場合も自然景観を損っていた。
【０００９】
また、上記（４）の特公平８−１４１０９号公報記載の工法では、樹木を伐採せずに残したまま斜面の安定化を図っているが、この公知技術においても受圧板（キャッピングプレート）が斜面から露出するため、樹木は保全されるが斜面上に散在する受圧板により斜面の景観は損われる。
【００１０】
このように、従来の斜面安定化工法においては、いずれも法枠や受圧板が斜面から突出して設置されていたため、法枠や受圧板自体が、樹木等により緑化された周囲環境に対し人工的な異物となって調和がとれず違和感を生じ、景観上好ましくなかった。
【００１１】
一方近年、地山等の自然斜面での地滑りや崩壊を防止して斜面の安定化を図る場合に、斜面上に植生する樹木等の自然草木、特に木本類をなるべく伐採しないで保護するばかりでなく、人工構造物を目立たせないでその斜面の自然のままの景観を損うことなく補強安定化して区域全体の景観を保全することが要請されている。また、このような場合においても従来よりもさらに斜面安定化の信頼性を高め、地震や豪雨時等での樹木の倒壊防止あるいは施工中等の大重量受圧板の斜面ずれ落ち等の防止に充分対処することが必要である。
【００１２】
本発明は上記の点に鑑み、従来技術では充分考慮されなかった自然景観の保全を図るとともに斜面安定化の信頼性を高め、しかも施工性や安全性を高めた自然斜面安定化工法およびその構造を提供することを目的とする。
【００１３】
【課題を解決するための手段】
前記目的を達成するため、本発明においては、景観を保全すべき自然斜面上の複数の位置に、所定深さの凹所を掘削して形成し、各凹所から地盤内に、引張り材を、その頭部を凹所内に露出させて貫入し、前記引張り材頭部を挿通させて各凹所内に、受圧板をほぼ全体が該凹所内に没入するように設置または打設し、前記引張り材をその頭部を介して前記受圧板に定着させることを特徴とする自然斜面安定化工法およびその工法を適用した安定化構造を提供する。
【００１４】
この自然斜面安定化工法および構造によれば、斜面上に設置する受圧板は、自然斜面に設けた凹所内に没入され、その上面が自然斜面から突出せず目立たなくなるため、周囲の自然環境に対し人工的な違和感が生じなくなり、斜面が安定化され樹木等が保全されるとともにその区域の景観が保全される。
【００１５】
また、受圧板が斜面の凹所内に没入されるため、受圧板の上側の側面が斜面上側の地盤を受けてその滑りや崩壊を抑止し、さらに受圧板の下側の側面が凹所の下側内壁面に当接して受け止められるため、施工時等に受圧板が斜面上をずれ落ちることが防止される。
【００１６】
すなわち、凹所内に没入された受圧板は、その底面が引張り材の緊張力を地盤側に伝達して又は自重により地盤を強化するという受圧板本来の機能を有するとともに、その上側および下側の両側面が、それぞれ地盤表層部の安定化および施工性や安全性を高めるという機能を有し、しかも受圧板は斜面から突出せず全体が斜面内部に隠れるため周辺の自然植物等との違和感が生じなくなり自然景観を損わずその保全が図られる。
【００１７】
なお、本発明はグラウンドアンカー工法、ロックボルト工法あるいは鉄筋挿入工法のいずれにも適用可能であり、受圧板に定着される引張り材は、その先端部分を地盤に定着してアンカー機能を与えるグラウンドアンカー構造又は、引張り材全長にわたって地盤に定着されるロックボルト構造のいずれの構造であってもよい。
【００１８】
【発明の実施の形態】
図１は本発明工法の実施の形態に係る斜面安定化構造の断面図である。樹木が植生する地山１の斜面２に、グラウンドアンカー構造（又はロックボルト構造）４を貫入形成する。このグラウンドアンカー構造（又はロックボルト構造）４は、引張り材５を挿入後注入材６を充填し、張力を付与して緊張させた引張り材５の頭部をコンクリート等からなる受圧板７に定着させたものである。
【００１９】
この受圧板７は、後述のように引張り材５の緊張力を地盤側に伝達して地盤を押えることにより、又は自重により地盤の滑りや崩壊に対し抑止力を付与して地盤を安定化させるものである。受圧板７は、図示したように、その周縁部から引張り材５に対し地質や緊張力等に対応した角度α（通常約４５度）の角度範囲内の地盤を強化する。これにより、このほぼ円錐状の地盤範囲内が一塊の安定強化された地盤となって滑りや崩壊を防止する。
【００２０】
受圧板７の形状は、矩形、円形、三角形、ひし形、十字形、星形およびこれらを組合わせた形状などを現場条件等に合わせて適宜選定することができる。この受圧板７は、後述の実施例のように、コンクリートまたはモルタルの現場打ちで形成してもよいし、あるいは工場製品を現場に搬送したものでもよい。また、コンクリートやモルタルに限らず、樹脂材料やスチロールあるいは繊維混入複合材等を用いることができ、さらに鉄板や形鋼材あるいはこれらの組合わせにより形成することもできる。
【００２１】
引張り材５は、グラウンドアンカー構造の場合は、ＰＣ鋼線、ＰＣ鋼より線、ＰＣ鋼棒、異形ＰＣ鋼棒等のプレストレストコンクリートの緊張材として用いるＰＣ鋼材で構成される。長さの異なる複数本のＰＣ鋼材をまとめて用いてそれぞれ地盤に対する定着部の位置を変えることにより、地盤に対応して最適位置に定着させ確実な緊張力を得るようにしてもよい。
【００２２】
この引張り材５は、１個の受圧板７に対し１本あるいはそれ以上設けて地盤に対する支圧力を高めるとともに安定化範囲を広げ、また受圧板に対する定着の信頼性や長期使用における緊張力維持等に対する信頼性を高めてもよい。また、受圧板中央部に１本の（または複数本の）グラウンドアンカーを設けてこれを安定地盤まで挿入し、さらにこの受圧板周縁部にロックボルトあるいは鉄筋等の補強材を設けて、これらをグラウンドアンカーにより安定力が付与された地盤に挿入してもよい。このようにグラウンドアンカーに加えてさらにその周囲に複数の補強材を貫入させる構成により、グラウンドアンカー工法の地盤強化作用とロックボルトあるいは補強鉄筋挿入工法の地盤強化作用の複合作用が得られ、これにより１個の受圧板によって広い範囲で地盤の安定化作用が高められる。
【００２３】
引張り材５の緊張定着方式は、受圧板から突出する引張り材頭部をジャッキにより引張り荷重を付与して緊張させた後くさびで受圧板に定着させるくさび方式や、引張り材頭部に螺合するナットを締め付けて緊張力を付与するとともに受圧板に定着させるナット方式、あるいはくさびで定着後さらにナットで締め付ける併用方式等が採用できる。
【００２４】
また、ロックボルト構造の場合の引張り材５は、異形鉄筋、ねじ節鉄筋、中空全ねじボルト、炭素繊維ボルト、ＦＲＰロックボルト等を用い、特に大きな緊張力を付与することなく、引張り材を地山に定着し、受圧板とにより斜面を補強してその安定化を図ってもよい。
【００２５】
このように引張り材５により定着された受圧板７は、斜面２に形成した凹所８内に没入される。即ち、受圧板７の上面は斜面２とほぼ同一又はそれよりも下側に引込んだ位置に配設される。このように受圧板７を斜面２上に突出させず地山表面から内部に没入した状態でグラウンドアンカー構造（又はロックボルト構造）４を設けることにより、受圧板７が凹所内に隠れさらに地山の凸部や草木類に隠されて目立たなくなる。これにより、樹木等を伐採することなく斜面が安定化されるとともに、人工構造物である受圧板が周囲自然環境に対し調和を損うことがなくなり、自然景観が保全される。
【００２６】
この場合、受圧板７の上面を土で覆ってもよいし覆わなくてもよい。受圧板７の上面を土で覆い隠せば受圧板が完全に埋設され景観保全が確実に達成できるとともにこの受圧板上の土壌に草本類の植生が可能となるため、緑化が促進され自然景観がさらに高められる。
【００２７】
受圧板のメンテナンスや点検検査等のために、受圧板自体又は受圧板表面に突出する引張り材端部あるいはこれを覆うオイルキャップを露出させて埋設位置の目印標示としてもよい。このように受圧板自体又はその表面部材を露出させて埋設位置の目印とすることに代えて、受圧板周辺の同一種類の統一された中低木樹木や標高を示す標識あるいは樹木名を表示した標識等を受圧板埋設位置の目印標示として利用してもよい。
【００２８】
このように受圧板７を凹所８内に没入することにより、この受圧板７の斜面上側の側面部が凹所８の斜面上側からの地山表層部の地盤の重量を受けてこれを支えるため、地滑りや崩壊に対する抵抗抑止力となり、グラウンドアンカー構造（又はロックボルト構造）４自体による地盤強化作用が補助されさらに斜面安定化の効果が高められる。この場合、受圧板７を樹木の下側に近接して設けることにより、樹木下側の地盤が受圧板により強固に安定化されるため、地震や豪雨時等に崩壊や地滑りを起こすことはなく、樹木の倒壊が防止される。さらに、木本植物の根系がそれ自体でもつ土壌崩壊を抑制するネット効果と相まって斜面安定化の効果がさらに高められる。
【００２９】
さらに、このように受圧板７を凹所８内に没入することにより、受圧板７の斜面下側の側面部が凹所８の内壁面に当接して受け止められるため、受圧板が斜面に沿ってずれ落ちることはなく確実にその位置に保持される。したがって、特に工場製品をクレーン等で現場に設置する場合に、設置中あるいは設置後にコンクリート製の重量物である受圧板は斜面の所定位置に確実に保持され、斜面をずれ落ちて位置ずれする等の不具合が防止され施工性が向上するとともに、施工の安全性が高められる。
【００３０】
斜面上に設置する受圧板７は、それぞれ独立状態でもよいしあるいはワイヤロープ等で接続してもよい。この場合、接続用のワイヤロープ等は、受圧板の上面に突出するロックボルト等の上部その他適当な位置につなぎ、周囲景観を損わないように地山面に沿って又は浅い溝を掘って埋め込んで配設することが望ましい。
【００３１】
次に本発明に係る斜面安定化工法の実施例についての施工手順を説明する。この例は、矩形の受圧板を斜面に沿って縦長に形成した例である。まず図２に示すように、地山１の斜面２に受圧板形状に対応した矩形の凹所８を掘削して形成する。
【００３２】
次に図３に一例として示すように、凹所８の中央部を削孔しグラウンドアンカー構造を形成するためのシース９で被覆された引張り材５を挿入する。この引張り材５を地盤に確実に定着させるためセメントペーストからなる注入材６（グラウト）を孔内に注入する。引張り材５の頭部５ａにはネジが形成されシース９から露出している。シース９はステンレスあるいはポリエチレン管等からなり、緊張力が定着地盤にロスなく伝達されるようにシース内は防錆オイルを含む注入材６ａを充填してもよい。また前述のように引張り材５としては各種材料が採用でき、グラウンドアンカー構造の場合には先端の地盤に対する定着部にアンカー体を備えてもよい。
【００３３】
次に図４に一例として示すように、凹所８内に鉄筋枠１０を設置してこの凹所８を型枠としてコンクリート１１またはモルタルを流し込んで受圧板７を形成する。なお、この図４は、引張り材５としてロックボルトを用いた構造を示す。その後、この受圧板７の上面に突出する引張り材５の頭部５ａに角座金１２を介してナット１３を装着する。このナット１３を締め付けることにより、引張り材５に緊張力を付与する。この後、引張り材頭部にオイルキャップを被せてもよい。図５は、上記現場打ちコンクリートによる受圧板７を凹所８を型枠として形成する場合に使用する上面型枠の構成説明図であり、（Ａ）は正面図、（Ｂ）は側面図である。この上面型枠１４は、中央部のロックボルト等の引張り材挿通孔１５と上下２箇所のコンクリート注入用の窓１６ａ，１６ｂを有する。下側の窓１６ｂの内面側には、上端をヒンジ結合されて自由に回動可能な蓋１７が設けられる。
【００３４】
使用時には、凹所８内に鉄筋枠１０（図４）をセットし，その上に引張り材の頭部を挿通孔１５に通した状態でこの上面型枠１４を固定する。この状態で、最初下側の窓１６ｂからコンクリートを注入しその後上側の窓１６ａからコンクリートを注入して凹所８内にコンクリートを充填する。上側の窓１６ａからコンクリートを注入するときに下側の窓１６ｂの蓋１７はコンクリートに押されて自然に閉じる。このように、凹所８を型枠としてさらに上面型枠１４を用いて受圧板を現場打ちにより形成する。なお、斜面の傾斜角度によっては上面型枠１４を用いないでコンクリート打ちしてもよい。また、コンクリート注入用の窓は受圧板の大きさ等に応じて上部の１箇所だけでもよく、あるいは３箇所またはそれ以上でもよい。
【００３５】
図６は、受圧板の別の構成例を示す。この例は、２本の形鋼１８をボルト１９で連結して受圧板２０を構成したものである。形鋼１８の下面側には凹所底面の凹凸吸収等のためにコンクリート１１を打つことが望ましい。その他の構成は前述の図４の例と同様である。なお、コンクリート１１を形鋼１８の上面まで打って図４の例と同様に受圧板をコンクリートで構成し、形鋼１８を補強用の鉄筋と同様の作用をさせてもよい。
【００３６】
【発明の効果】
以上説明したように、本発明においては、斜面上に設置する受圧板は、自然斜面に設けた凹所内に没入され、その上面が自然斜面から突出せず目立たなくなるため、周囲の自然環境に対し人工的な違和感が生じなくなり、斜面が安定化され樹木等が保全されるとともにその区域の景観が保全される。また、自然斜面から突出していないため、人が歩いたときにつまずくこともなく安全である。
【００３７】
また、受圧板が自然斜面の凹所内に埋設されるため、受圧板の上側の側面が斜面上側の地盤を受けてその滑りや崩壊を抑止し斜面の安定化の信頼性が高まり、さらに受圧板の下側の側面が凹所の下側内壁面に当接して受け止められるため、施工時等に受圧板が斜面上をずれ落ちることが防止され施工性が向上するとともに安全性が高められる。
【図面の簡単な説明】
【図１】  本発明に係る斜面安定化構造の断面図。
【図２】  （Ａ）（Ｂ）はそれぞれ本発明に係る斜面安定化工法の最初の手順を説明する正面図および断面図。
【図３】  （Ａ）（Ｂ）はそれぞれ図２の手順に続く手順を説明する正面図および断面図。
【図４】  （Ａ）（Ｂ）はそれぞれ図３の手順に続く手順を説明する正面図および断面図。
【図５】  （Ａ）（Ｂ）はそれぞれ図４のコンクリート打ちで用いる上面型枠の正面図および断面図。
【図６】  （Ａ）（Ｂ）はそれぞれ本発明の別の実施例に係る受圧板の正面図および断面図。
【符号の説明】
１：地山、２：斜面、４：グラウンドアンカー構造、５：引張り材、６：注入材、７：受圧板、８：凹所、９：シース、１０：鉄筋枠、１１：コンクリート、１２：角座金、１３：ナット、１４：上面型枠、１５：挿通孔、１６ａ，１６ｂ：窓、１７：蓋、１８：形鋼、１９：ボルト、２０：受圧板
【図１】
0003911286.tif 000002
【図２】
0003911286.tif 000003
【図３】
0003911286.tif 000004
【図４】
0003911286.tif 000005
【図５】
0003911286.tif 000006
【図６】
0003911286.tif 000007